(57)【要約】【課題】設置時における調整作業の効率を向上可能な、監視用レンズ装置および監視用カメラを提供する。【解決手段】固定筒２０と、固定筒の内部に設けられ光軸方向に移動可能な第１および第２のレンズ枠２２、２４と、固定筒に対して回動可能に設けられ第１および第２のレンズ枠を各々に駆動するための第１および第２のリング１２、１４と、第１のリングと一体に設けられ第１のリングよりも被写体側に設けられた第２のリングの外周を覆うように被写体側に延在する延長部１５と、延長部に設けられ第１のリングを操作するための第１の操作部と、第２のリングに設けられ第２のリングを操作するための第２の操作部と、を備え、第１および第２の操作部は、被写体側の端部近傍に互いに近接して設けられ、第１および第２の操作部には、ギア機構によって第１および第２のリングを固定筒に対して回動可能とするように外周に沿って被駆動ギア１６、１８が設けられた。【選択図】図１
2009216791.tif 000002
【特許請求の範囲】
【請求項１】
固定筒と、
前記固定筒の内部に設けられ光軸方向に移動可能な第１および第２のレンズ枠と、
前記固定筒に対して回動可能に設けられ、前記第１および第２のレンズ枠を各々に駆動するためのカムが設けられた第１および第２のリングと、
前記第１のリングと一体に設けられ、前記第１のリングよりも被写体側に設けられた前記第２のリングの外周を覆うように被写体側に延在する延長部と、
前記延長部に設けられ、前記第１のリングを操作する際に保持される第１の操作部と、
前記第２のリングに設けられ、前記第２のリングを操作する際に保持される第２の操作部と、を備え、
前記第１および第２の操作部は、被写体側の端部近傍に互いに近接して設けられ、前記第１および第２の操作部の少なくともいずれかには、ギア機構によって前記第１および第２のリングの少なくともいずれかを前記固定筒に対して回動可能とするように、外周に沿って被駆動ギアが設けられたことを特徴とする、監視用レンズ装置。
【請求項２】
前記第１および第２の操作部の少なくともいずれかに設けられた前記被駆動ギアに係合する駆動ギアを有し、前記第１および第２のリングの少なくともいずれかを前記固定筒に対して回動させる駆動機構をさらに備え、
前記駆動機構は、遠隔制御の対象とされ、遠隔制御されていない場合に、前記第１および第２の操作部を介して前記第１および第２のリングを前記固定筒に対して回動可能とするように構成されたことを特徴とする、請求項１に記載の監視用レンズ装置。
【請求項３】
前記駆動機構は、前記第１および第２の操作部に設けられた前記各被駆動ギアのいずれかに選択的に係合可能な１つの前記駆動ギアを有し、
前記第１および第２の操作部に設けられた前記被駆動ギアのいずれかに前記駆動ギアが係合するように、前記駆動ギアを光軸方向に移動させる駆動ギア移動機構をさらに備えたことを特徴とする、請求項２に記載の監視用レンズ装置。
【請求項４】
前記駆動機構は、前記第１および第２の操作部に設けられた前記各被駆動ギアに各々に係合する２つの前記駆動ギアを有し、
２つの前記駆動ギアのいずれかを介して前記第１および第２のリングのいずれかを前記固定筒に対して回動可能とするように、駆動力の伝達対象となる前記駆動ギアを切替える駆動ギア切替機構をさらに備えたことを特徴とする、請求項２に記載の監視用レンズ装置。
【請求項５】
固定筒と、前記固定筒の内部に設けられ光軸方向に移動可能な第１および第２のレンズ枠と、前記固定筒に対して回動可能に設けられ、前記第１および第２のレンズ枠を各々に駆動するためのカムが設けられた第１および第２のリングと、前記第１のリングと一体に設けられ、前記第１のリングよりも被写体側に設けられた前記第２のリングの外周を覆うように被写体側に延在する延長部と、前記延長部に設けられ、前記第１のリングを操作する際に保持される第１の操作部と、前記第２のリングに設けられ、前記第２のリングを操作する際に保持される第２の操作部と、を備える監視用レンズ装置と、
前記監視用レンズ装置の被写体側を覆う透明なケース部材と、
を備え、
前記第１および第２の操作部は、被写体側の端部近傍に互いに近接して設けられ、前記第１および第２の操作部の少なくともいずれかには、ギア機構によって前記第１および第２のリングの少なくともいずれかを前記固定筒に対して回動可能とするように、外周に沿って被駆動ギアが設けられたことを特徴とする、監視用カメラ。
【請求項６】
前記監視用レンズ装置の被写体側の端部近傍を前記ケース部材側に開口を通じて突出させた状態で前記監視用レンズ装置を覆うように、前記監視用レンズ装置と前記ケース部材との間に設けられたカバー部材をさらに備えたことを特徴とする、請求項５に記載の監視用カメラ。
【発明の詳細な説明】
【技術分野】
【０００１】
本発明は、監視用レンズ装置および監視用カメラに関する。
【背景技術】
【０００２】
近年、金融業や小売業の店舗などでは、小型の監視用カメラが多用されている。監視用カメラは、カメラ本体に監視用レンズ装置（以下、レンズ装置とも称する。）をマウントして用いられる。
【０００３】
一般に、監視用カメラの設置に際しては、作業員によって、店舗などの天井、壁面など、所定の場所に監視用カメラが設置され、設置場所毎の撮影条件に応じてレンズ装置が調整される。このため、レンズ装置は、例えば下記特許文献１に記載されるように、撮影方向を調整するために、光軸方向を調整可能なカメラ本体にマウントされ、フォーカスおよび／またはズームなどを調整するためのレンズ調整機構を有する。
【０００４】
従来、レンズ調整機構は、フォーカスおよび／またはズームを手動で調整するものが主流である。このため、作業員は、経験的にレンズ調整機構を手動で調整することに習熟している。このために、例えば下記特許文献１に記載されるレンズ装置においても、フォーカスおよびズーム操作部に手動操作のための凹凸部および爪部が設けられている。そして、凹凸部および爪部は、手動操作時の滑り止めを意図した形状で設けられている。しかし、近年、レンズ調整機構の手動調整に際して、以下のような問題が生じている。
【０００５】
【特許文献１】特開２００７−３１０２２８号公報
【発明の開示】
【発明が解決しようとする課題】
【０００６】
レンズ装置の調整は、一般に、監視用カメラに調整用モニタを一時的に接続し、モニタに表示される映像を確認しながら行われる。このため、例えば高所への設置など、設置条件に応じて、モニタを確認しながらの手動調整が困難となる場合がある。また、カメラ本体の高画質化により微妙な調整が要求される場合には、設置条件に応じて、手動調整が困難となる。
【０００７】
監視用カメラおよびレンズ装置の小型化により、フォーカスリング、ズームリングなどの操作部に対するアクセス性が低下する場合には、設置条件に応じて、手動調整が困難となる。特に、レンズ装置がケース部材に覆われている場合には、操作部に対するアクセス性が低下する場合がある。
【０００８】
レンズ装置がケース部材に覆われている場合には、ケース部材を取外した状態で手動調整が行われる。しかし、調整後にケース部材を装着すると、レンズ装置の前方に配されたケース部材により被写体までの光路長が変化するので、調整済みの状態がズレてしまう。よって、手動調整とケース部材の着脱とを試行錯誤的に繰返す必要が生じ、調整作業が煩雑となる。
【０００９】
本発明は上記問題点に鑑みてなされたものであり、その目的は、監視用カメラの設置に際して調整作業の効率を向上可能な、新規かつ改良された、監視用レンズ装置および監視用カメラを提供することにある。
【課題を解決するための手段】
【００１０】
上記課題を解決するために、本発明の第１の観点によれば、固定筒と、固定筒の内部に設けられ光軸方向に移動可能な第１および第２のレンズ枠と、固定筒に対して回動可能に設けられ、第１および第２のレンズ枠を各々に駆動するためのカムが設けられた第１および第２のリングと、第１のリングと一体に設けられ、第１のリングよりも被写体側に設けられた第２のリングの外周を覆うように被写体側に延在する延長部と、延長部に設けられ、第１のリングを操作する際に保持される第１の操作部と、第２のリングに設けられ、第２のリングを操作する際に保持される第２の操作部と、を備え、第１および第２の操作部は、被写体側の端部近傍に互いに近接して設けられ、第１および第２の操作部の少なくともいずれかには、ギア機構によって第１および第２のリングの少なくともいずれかを固定筒に対して回動可能とするように、外周に沿って被駆動ギアが設けられた監視用レンズ装置が提供される。
【００１１】
かかる構成によれば、被写体側の端部近傍に第１および第２の操作部が設けられているので、第１および第２の操作部を介して、フォーカスレンズ（群）、ズームレンズ（群）を各々に保持する第１および第２のレンズ枠の光軸方向での位置を手動で容易に調整することができる。また、第１および／または第２の操作部の外周に沿って被駆動ギアが設けられているので、例えば、ギア機構を有する調整用ジグなどを適用することによって、第１および／または第２のレンズ枠の光軸方向での位置を電動で調整することができる。この場合、被写体側の端部近傍に被駆動ギアが設けられるので、調整用ジグの着脱が容易となる。これにより、設置条件に応じて、第１および第２の操作部を介してレンズ装置を手動で調整することができ、被駆動ギアを介して調整用ジグなどにより電動で調整することができる。
【００１２】
また、上記第１および第２の操作部の少なくともいずれかに設けられた被駆動ギアに係合する駆動ギアを有し、第１および第２のリングの少なくともいずれかを固定筒に対して回動させる駆動機構をさらに備え、駆動機構は、遠隔制御の対象とされ、遠隔制御されていない場合に、第１および第２の操作部を介して第１および第２のリングを固定筒に対して回動可能とするように構成されてもよい。これにより、設置条件に応じて、第１および第２のレンズ枠の光軸方向での位置を手動で調整することができ、駆動機構の遠隔制御によって、第１および／または第２のレンズ枠の光軸方向での位置を電動で調整することができる。
【００１３】
また、上記駆動機構は、第１および第２の操作部に設けられた各被駆動ギアのいずれかに選択的に係合可能な１つの駆動ギアを有し、第１および第２の操作部に設けられた被駆動ギアのいずれかに駆動ギアが係合するように、駆動ギアを光軸方向に移動させる駆動ギア移動機構をさらに備えてもよい。これにより、駆動ギア移動機構によって、第１および第２のレンズ枠の光軸方向での位置を単一の駆動機構により電動で調整することができる。
【００１４】
また、上記駆動機構は、第１および第２の操作部に設けられた各被駆動ギアに各々に係合する２つの駆動ギアを有し、２つの駆動ギアのいずれかを介して第１および第２のリングのいずれかを固定筒に対して回動可能とするように、駆動力の伝達対象となる駆動ギアを切替える駆動ギア切替機構をさらに備えてもよい。これにより、駆動ギア切替機構によって、第１および第２のレンズ枠の光軸方向での位置を単一の駆動機構により電動で調整することができる。
【００１５】
上記課題を解決するために、本発明の第２の観点によれば、第１の観点に係る監視用レンズ装置を有し、監視用レンズ装置の被写体側を覆う透明なケース部材を備えた監視用カメラが提供される。
【００１６】
かかる構成によれば、監視用カメラの設置に際して、設置条件に応じて、第１および第２の操作部を介してレンズ装置を手動で調整することができ、被駆動ギアを介して調整ジグ、駆動機構などにより電動で調整することができる。
【発明の効果】
【００１７】
本発明によれば、監視用カメラの設置に際して調整作業の効率性を向上可能な、監視用レンズ装置および監視用カメラを提供することができる。
【発明を実施するための最良の形態】
【００１８】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１９】
以下では、まず、図９、１０を参照しながら、従来の監視用レンズ装置、監視用カメラ、および監視用カメラの設置方法について説明する。そして、図１〜８を参照しながら、本発明の実施形態に係る監視用レンズ装置および監視用カメラについて説明する。
【００２０】
（従来の監視用レンズ装置および監視用カメラ）
図９は、従来の監視用カメラの一例として、上記特許文献１に記載されている監視用カメラを示す斜視図である。また、図１０は、図９に示す監視用カメラを天井に設置した状態を示す断面図である。なお、以下では、ドーム状のケース１０４を有する監視用カメラ１０１の場合について説明するが、ドーム状以外のケースを有する監視用カメラ、またはケースを有しない監視用カメラの場合についても、同様に説明することができる。
【００２１】
図９および図１０に示すように、監視用カメラ１０１は、基台１０２、基台１０２に固定されるケース部材１０４、ケース部材１０４の内部に配されるレンズ装置１１０を有する。図１０に示すように、レンズ装置１１０は、基台１０２に対して、角度θで傾動可能に、かつ、基台１０２に対して中心線Ｃを回転軸として回動可能に取付けられている。
【００２２】
また、ケース部材１０４の内側では、レンズ装置１１０を覆うようにカバー部材１０６が設けられている。カバー部材１０６には、レンズ装置１１０の傾動可能な範囲に対応して開口１０７が設けられている。カバー部材１０７は、レンズ装置１１０とともに、基台１０２に対して中心線Ｃを回転軸として回動可能である。
【００２３】
レンズ装置１１０には、フォーカスおよびズームを各々に調整するために、フォーカスリング１１２およびズームリング１１４が設けられている。フォーカスリング１１２およびズームリング１１４は、レンズ装置１１０内のフォーカスレンズ（群）およびズームレンズ（群）の位置に対応して設けられ、レンズ装置１１０の前側および後側に各々に設けられている。ズームリング１１４には、フォーカスリング１１２の外周を覆うように被写体側に延在した延長部１１５が設けられている。
【００２４】
レンズ装置１１０の被写体側の端部近傍には、フォーカスリング１１２およびズームリング１１４を回転操作するために、フォーカスリング１１２に凹凸部１４２が設けられ、延長部に爪部１４４が設けられている。
【００２５】
（従来の監視用カメラの設置方法）
従来の監視用カメラ１０１は、一般に、以下のような作業手順に従って作業員により設置される。第１の作業では、監視用カメラ１０１が店舗などの天井、壁面などに基台１０２を介して設置される。第２の作業では、ケース部材１０４が監視用カメラ１０１から取外され、設置条件に応じて凹凸部１４２および爪部１４４へのアクセスが困難な場合には、選択的にカバー部材１０６も取外される。第３の作業では、基台１０２に対してレンズ装置１１０が回転操作および／または傾動操作され、レンズ装置１１０の光軸方向が調整される。
【００２６】
第４の作業では、凹凸部１４２および爪部１４４を介してフォーカスリング１１２およびズームリング１１４を回転操作することで、フォーカスおよびズームが手動で調整され、ロックつまみ１１９によりフォーカスおよびズームの調整状態が固定される。第５の作業では、光軸方向、フォーカスおよびズームの調整状態が確認された上で、ケース部材１０４および選択的にカバー部材１０６が監視用カメラ１０１に装着される。
【００２７】
ここで、第４の作業では、前述したように、設置条件に応じて、フォーカスおよびズームの手動調整が困難となる場合がある。また、ケース部材１０４を有する監視用カメラ１０１の場合には、ケース部材１０４の装着により光路長が変化するので、作業員は、一般に、ケース部材１０４の着脱およびフォーカスおよびズームの手動調整を試行錯誤的に繰返すことになる。
【００２８】
（第１の実施形態に係る監視用レンズ装置）
図１は、本発明の第１の実施形態に係る監視用カメラを示す斜視図である。以下では、第１の実施形態に係る監視用カメラについて説明するが、図９に示す監視用カメラと同様な構成については、詳細な説明を省略する。
【００２９】
監視用カメラ１では、レンズ装置１０の被写体側の端部近傍に、フォーカスリング１２および／またはズームリング１４を回転操作する際に保持される部分（第１および第２の操作部）が設けられている。そして、これらの部分には、フォーカスリング１２およびズームリング１４（延長部１５）の外周に沿って被駆動ギア１６、１８が設けられている。
【００３０】
被駆動ギア１６、１８は、後述するように、レンズ装置１０もしくはカメラ本体と一体または別体として設けられるギア機構によって、フォーカスリング１２および／またはズームリング１４を固定筒２０に対して回動可能とするために設けられている。
【００３１】
なお、以下では、フォーカスリング１２およびズームリング１４に被駆動ギア１６、１８が設けられている場合について説明するが、フォーカスリング１２およびズームリング１４のいずれかに被駆動ギアが設けられてもよい。
【００３２】
図２は、第１の実施形態に係る監視用レンズ装置を示す斜視図であり、図３は、図２に示すＩ−Ｉ線上における監視用レンズ装置の断面を示す説明図である。なお、図３は、レンズ装置本体の構成要素のみを示し、本体以外の構成要素の表示を省略している。
【００３３】
図３に示すように、レンズ装置１０は、固定筒２０を備え、固定筒２０の内部には、レンズ枠２２、２４が配置される。また、固定筒２０の外周には、フォーカスリング１２およびズームリング１４が設けられている。
【００３４】
レンズ枠２２は、固定筒２０の内部で前側に配置され、フォーカスレンズ（群）２６を保持する。レンズ枠２２には、その周面から突出する係合ピン２８が装着される。一方、固定筒２０には、光軸方向に直進溝３０が形成され、係合ピン２８が直進溝３０に係合することで、レンズ枠２２およびフォーカスリング２６が、直進溝３０にガイドされて光軸方向に直進移動するように構成される。
【００３５】
レンズ枠２４は、固定筒２０の内部でレンズ枠２２の後側に配置され、ズームレンズ（群）３２を保持する。レンズ枠２４には、その周面から突出する係合ピン３４が装着される。一方、固定筒２０には、光軸方向に直進溝３６が形成され、係合ピン３４が直進溝３６に係合することで、レンズ枠２４およびズームリング３２が、直進溝３６にガイドされて光軸方向に直進移動するように構成される。なお、図３には、ズームレンズ（群）２６およびフォーカスレンズ（群）３２が各々に単一のレンズとして構成される場合を示すが、かかる構成に限定されるものではない。
【００３６】
フォーカスリング１２は、レンズ枠２２が配置される部位において、固定筒２０の外周面に回転可能に設けられている。フォーカスリング１２の内周面には、光軸方向に対して螺旋状にカム溝３８が形成される。レンズ枠２２に装着される係合ピン２８は、フォーカスリング１２のカム溝３８に係合する。
【００３７】
よって、フォーカスリング１２を回転操作すると、フォーカスリング１２のカム溝３８と固定筒２０の直進溝３０との交差位置が光軸方向に移動するとともに、その交差位置に従って係合ピン２８、レンズ枠２２およびフォーカスレンズ２６が光軸方向に移動する。このように、フォーカスリング１２を回転操作することで、フォーカスレンズ２６の設定位置を調整してフォーカスが調整される。
【００３８】
ズームリング１４は、フォーカスリング１２の後側に配置され、固定筒２０の外周面に回転可能に設けられている。また、ズームリング１４には、フォーカスリング１２側に延長部１５が設けられる。延長部１５では、フォーカスリング１２の外周を覆うようにズームリング１４の内径が拡大される。ズームリング１４の内周面には、光軸方向に対して螺旋状にカム溝４０が形成される。レンズ枠２４に装着される係合ピン３４は、ズームリング１４のカム溝４０に係合する。
【００３９】
よって、ズームリング１４を回転操作すると、ズームリング１４のカム溝４０と固定筒２０の直進溝３６との交差位置が光軸方向に移動するとともに、その交差位置に従って係合ピン３４、レンズ枠２４およびズームレンズ２６が光軸方向に移動する。このように、ズームリング１４を回転操作することで、ズームレンズ２６の設定位置を調整してズームが調整される。
【００４０】
なお、上記の構成では、固定筒２０に直進溝３０、３６を設け、ズームおよびフォーカスリング１２、１４に螺旋状のカム溝３８、４０を設けているが、固定筒２０に螺旋状のカム溝３８、４０を設け、ズームまたはフォーカスリング１２、１４に直線溝３０、３６を設けてもよい。また、固定筒２０とズームまたはフォーカスリング１２、１４の双方に螺旋状のカム溝３８、４０を設けてもよい。
【００４１】
ロックつまみ１９は、ズームリング１４の延長部１５の外周に突出するように設けられている。図３に示すように、ロックつまみ１９の光軸側の外周には雄ネジ４６が形成されている。雄ネジ４６は、フォーカスリング１２に設けられた雌ネジ４８と係合している。ズームリング１４には、ロックつまみ１９の雄ネジ４６の径よりも幅の広い開孔部５０が形成されている。ロックつまみ１９は、開孔部５０に挿入され、雄ネジ４６と雌ネジ４８が係合することにより、フォーカスリング１２に対して装着される。
【００４２】
図２に示すように、開孔部５０は、ズームリング１４の円周方向に長孔形状で形成されている。より詳細には、開孔部５０は、フォーカスリング１２とズームリング１４が相対的に回転した際に、ロックつまみ１９と開孔部５０とが干渉しないように所定の角度範囲で形成されている。
【００４３】
また、ロックつまみ１９には、フランジ部５２が形成されている。ロックつまみ１９がフォーカスリング１２に装着された状態では、フランジ部５２とズームリング１４の外周面が対向するように構成されている。
【００４４】
ロックつまみ１９を締め込むと、雄ネジ４６と雌ネジ４８の係合によってロックつまみ１９の先端が固定筒２０の外周に当接する。これにより、フォーカスリング１２の回転位置が固定される。また、ロックつまみ１９を締め込むと、フランジ部５２がズームリング１４の延長部１５の外周に当接する。これにより、ズームリング１４の回転位置が固定される。
【００４５】
図３に示すように、固定筒２０の後端部には撮像素子ホルダ５４が装着されている。撮像素子ホルダ５４には、基板５６が装着されている。基板５６にはＣＣＤ（撮像素子）５８が実装されている。ＣＣＤ５８の前側にはシールゴム５９が設けられており、シールゴム５９の更に前側にはローパスフィルタ６０が配置されている。ローパスフィルタ６０の前部は、撮像素子ホルダ５４の保持部６２に当接している。また、ローパスフィルタ６０の更に前側には、ＩＲカットフィルタ６４が配置されている。
【００４６】
前述したように、フォーカスリング１２の前側端部には、外周に沿って被駆動ギア１６が設けられ、被駆動ギア１６が回転することで、フォーカスリング１２が固定筒２０に対して回動する。また、ズームリング１４（延長部１５）の前側端部にも、外周に沿って被駆動ギア１８が設けられ、被駆動ギア１８が回転することで、ズームリング１４が固定筒２０に対して回動する。
【００４７】
図４は、第１の実施形態に係る監視用レンズ装置を含む監視用カメラの構成を示す模式図である。本実施形態に係るレンズ装置は、調整用ジグ２００の駆動機構によって、フォーカスおよびズームを電動で調整可能とするものである。
【００４８】
調整用ジグ２００は、例えばモータ駆動可能な駆動機構２０１、２０３を有し、レンズ装置１０またはカメラ本体に装着された状態（図４に示す例では、レンズ装置１０に装着されている。）で、フォーカスリング１２およびズームリング１４などの被駆動部に対して、駆動機構２０１、２０３からの駆動力を伝達する。調整用ジグ２００は、有線または無線を介してコントローラなどの操作手段を用いて遠隔制御される。
【００４９】
調整用ジグ２００は、監視用カメラ１からケース部材４、および選択的にカバー部材６を取外した状態で、装着具２０８によりレンズ装置１０に装着される。ここで、レンズ装置１０の被駆動ギア１６、１８は、被写体側の端部近傍に設けられている。このため、カメラ本体にレンズ装置１０をマウントした状態で、被駆動ギア１６、１８に対して、ギア機構を有する調整用ジグ２００の駆動ギア２０２、２０４を係合させることで、調整用ジグ２００を容易に着脱することができる。
【００５０】
調整用ジグ２００を装着すると、ケース部材４および選択的にカバー部材６を装着した状態で、フォーカスおよび／またはズームが遠隔制御により電動調整される。調整用ジグ２００の適用によって、フォーカスおよびズームが電動で調整可能となるので、モニタを確認しながらの調整が容易となり、操作部に対するアクセス性が低下する場合、微妙な調整が要求される場合に生じる問題も解消される。
【００５１】
そして、調整状態が確認されると、ケース部材４および選択的にカバー部材６を取外した状態で、調整用ジグ２００が取外される。なお、調整用ジグ２００の取外しに前後して、ロックつまみ１９によりフォーカスおよびズームの調整状態が固定される。ここで、ケース部材４を装着した状態でフォーカスおよびズームが調整されているので、ケース部材４の装着により生じる問題も解消される。
【００５２】
これにより、作業員は、設置条件に応じて、手動調整に適する場合にはフォーカスおよび／またはズームを手動で調整し、電動調整に適する場合には電動で調整することができる。ここで、被写体側の端部近傍を介してフォーカスリング１２およびズームリング１４が回転操作可能であるので、設置条件に応じて、カバー部材４を取外すことなしに、フォーカスおよび／またはズームを容易に手動調整することができる。
【００５３】
また、例えば、手動で粗調整した後に、調整用ジグ２００を装着して電動で微調整するなど、手動調整および電動調整を組合せることもできる。駆動ギア２０２、２０４が被駆動ギア１６、１８に係合している状態でも、フォーカスリング１２およびズームリング１４を手動で回転操作可能に調整用ジグ２００が構成される場合には、調整用ジグ２００を装着した状態で手動調整および電動調整が可能となる。一方、このように構成されない場合でも、被駆動ギア１６、１８が被写体側の端部近傍に設けられているので、調整用ジグ２００の着脱が容易である。
【００５４】
以上説明したように、本実施形態に係るレンズ装置１０によれば、設置条件に応じて、フォーカスリング１２およびズームリング１４（延長部１５）を介してレンズ装置１０を手動で調整することができ、被駆動ギア１６、１８を介して調整用ジグ２００などにより電動で調整することができる。
【００５５】
（第２の実施形態に係る監視用レンズ装置）
図５は、第２の実施形態に係る監視用レンズ装置の構成を示す模式図である。本実施形態に係るレンズ装置１０は、駆動機構７０によって、フォーカスおよびズームを電動で調整可能とするものである。以下では、第２の実施形態に係るレンズ装置１０について説明するが、第１の実施形態に係るレンズ装置１０と同様な構成については、詳細な説明を省略する。
【００５６】
図５は、フォーカス調整用およびズーム調整用の２つの駆動部を有する駆動機構を示している。図５（ａ）は、駆動機構を装着されたレンズ装置を正面から見た状態を示し、図５（ｂ）は、側面から見た状態を示している。
【００５７】
駆動機構７０は、フォーカス調整用のフォーカス駆動部７１、ズーム調整用のズーム駆動部７３を有する。フォーカス駆動部７１は、被駆動ギア１６との係合によりフォーカスリング１２に駆動力を伝達するための駆動ギア７２を有し、ズーム駆動部７３は、被駆動ギア１８との係合によりズームリング１４に駆動力を伝達するための駆動ギア７４を有する。駆動機構７０は、有線または無線を介してコントローラなどの操作手段を用いて遠隔制御される。
【００５８】
駆動機構７０によって、フォーカスおよびズームが電動で調整可能となるので、モニタを確認しながらの調整が容易となり、操作部に対するアクセス性が低下する場合、および微妙な調整が要求される場合に生じる問題、ケース部材４の装着により生じる問題も解消される。
【００５９】
駆動機構７０は、支持部材７８などを介してレンズ装置１０またはカメラ本体と一体に設けられる（図５に示す例では、レンズ装置１０の後部に対して支持されている。）ので、駆動ギア７２、７４が被駆動ギア１６、１８に係合している状態でも、必要に応じて、フォーカスリング１２およびズームリング１４を手動で回転操作可能に構成される。つまり、駆動機構７０では、遠隔制御されていない状態では、フォーカスリング１２およびズームリング１４の手動による回転に連動して駆動ギア７２、７４が回転する。
【００６０】
これにより、作業員は、フォーカスおよび／またはズームを、設置条件に応じて、ケース部材４および選択的にカバー部材６を取外した状態で手動調整し、ケース部材４を装着した状態で電動調整することができる。
【００６１】
（第３の実施形態に係る監視用レンズ装置）
図６は、第３の実施形態に係る監視用レンズ装置の構成を示す模式図である。以下では、第３の実施形態に係るレンズ装置１０について説明するが、第２の実施形態に係るレンズ装置１０と同様な構成については、詳細な説明を省略する。
【００６２】
図６は、フォーカス／ズーム調整用の１つの駆動部を有する駆動機構を示している。図６（ａ）は、駆動機構を装着されたレンズ装置を正面から見た状態を示し、図６（ｂ）は、側面から見た状態を示している。
【００６３】
駆動機構８０は、フォーカスリング／ズームリング調整用のフォーカス／ズーム駆動部８１を有する。フォーカス／ズーム駆動部８１は、被駆動ギア１６、１８との係合によりフォーカスリング１２およびズームリング１４に駆動力を伝達するための駆動ギア８２を有する。
【００６４】
駆動機構８０は、フォーカス／ズーム駆動部８１によって、フォーカス駆動部７１およびズーム駆動部７３の機能を実現するために、以下に示す駆動ギア移動機構または駆動ギア切替機構を有する。
【００６５】
図７は、駆動ギア移動機構の動作状態を示す模式図であり、図８は、駆動ギア切替機構の動作状態を示す模式図である。
【００６６】
駆動ギア移動機構は、駆動機構８０に設けられ、フォーカス／ズーム駆動部８１がフォーカスリング１２およびズームリング１４に設けられた各被駆動ギア１６、１８のいずれかに選択的に係合可能な１つの駆動ギア８２を有する場合に適用される。駆動ギア移動機構は、遠隔制御により駆動ギア８２（および駆動ギア８２が固定された駆動軸８６）を光軸方向に移動させる機構である。
【００６７】
つまり、駆動ギア移動機構は、被写体側の端部近傍において、遠隔制御により、フォーカス調整時には、フォーカスリング用の被駆動ギア１６に係合するように駆動ギア８２を前側の位置に保持し（図７（ａ））、ズーム調整時には、ズーム用の被駆動ギア１８に係合するように駆動ギア８２を後側に移動させる（図７（ｂ））。
【００６８】
これにより、フォーカスリング１２およびズームリング１４に対して、フォーカス／ズーム駆動部８１からの駆動力を選択的に伝達することが可能となるので、前述したフォーカス駆動部７１およびズーム駆動部７３の機能を単一の駆動部により実現することができる。
【００６９】
駆動ギア切替機構は、駆動機構９０に設けられ、フォーカス／ズーム駆動部９１がフォーカスリング１２およびズームリング１４に設けられた各被駆動ギア１６、１８の各々に係合する２つの駆動ギア９２、９４を有する場合に適用される。駆動ギア切替機構は、遠隔制御によりフォーカス／ズーム駆動部９１からの駆動力の伝達対象となる駆動ギア９２、９４を切替える機構である。駆動ギア切替機構は、例えばクラッチ機構などの動力伝達切替機構により、フォーカス／ズーム駆動部９１からの駆動力を２つの駆動ギア９２、９４のいずれかに選択的に伝達する。
【００７０】
つまり、駆動ギア切替機構は、遠隔制御により、フォーカス調整時には、フォーカス／ズーム駆動部９１からの駆動力をフォーカスリング用の駆動ギア１６に伝達するようにクラッチ機構を切替え（図８（ａ））、ズーム調整時には、フォーカス／ズーム駆動部９１からの駆動力をズームリング用の駆動ギア１８に伝達するようにクラッチ機構を切替える（図８（ｂ））。
【００７１】
これにより、フォーカスリング１２およびズームリング１４に対して、フォーカス／ズーム駆動部９１からの駆動力を選択的に伝達することが可能となるので、前述したフォーカス駆動部７１およびズーム駆動部７３の機能を単一の駆動部により実現することができる。
【００７２】
以上説明したように、本実施形態に係るレンズ装置１０によれば、設置条件に応じて、フォーカスリング１２およびズームリング１４（延長部１５）を介してレンズ装置１０を手動で調整することができ、被駆動ギア１６、１８を介して駆動機構７０、８０、９０により電動で調整することができる。
【００７３】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００７４】
【図１】第１の実施形態に係る監視用カメラを示す斜視図である。
【図２】第１の実施形態に係る監視用レンズ装置を示す斜視図である。
【図３】図２に示すＩ−Ｉ線上における監視用レンズ装置の断面を示す断面図である。
【図４】第１の実施形態に係る監視用レンズ装置の構成を示す模式図である。
【図５】第２の実施形態に係る監視用レンズ装置の構成を示す模式図である。
【図６】第３の実施形態に係る監視用レンズ装置の構成を示す模式図である。
【図７】駆動ギア移動機構の動作状態を示す模式図である。
【図８】駆動ギア切替機構の動作状態を示す模式図である。
【図９】従来の監視用カメラの一例を示す斜視図である。
【図１０】図９に示す監視用カメラを天井に設置した状態を示す断面図である。
【符号の説明】
【００７５】
１    監視用カメラ
４    ケース部材
６    カバー部材
１０    監視用レンズ装置
１２    フォーカスリング
１４    ズームリング
１５    延長部
１６、１８    被駆動ギア
２０    固定筒
２２、２４    レンズ枠
７０、８０、９０    駆動機構
７２、７４、８２、９２、９４    駆動ギア
２００    調整用ジグ
２０２、２０４    駆動ギア
【図１】
2009216791.tif 000003
【図２】
2009216791.tif 000004
【図３】
2009216791.tif 000005
【図４】
2009216791.tif 000006
【図５】
2009216791.tif 000007
【図６】
2009216791.tif 000008
【図７】
2009216791.tif 000009
【図８】
2009216791.tif 000010
【図９】
2009216791.tif 000011
【図１０】
2009216791.tif 000012